(57)【特許請求の範囲】
【請求項１】
塔状構造物が挿通可能な挿通部を備える架台と、
前記架台に配設され、前記塔状構造物の側壁に隣接させて前記架台を支持するとともに前記側壁を移動可能とする複数の走行支持手段と、
前記架台上に設置され、前記架台上に露出した前記塔状構造物を解体するための解体手段と、
前記架台の上部を包囲するとともに前記架台の外縁部に収容可能な包囲部材と、
前記露出した塔状構造物に向けて水を噴霧する噴霧手段と、
解体物の飛散を防止するための飛散防止枠と、
解体状況を監視するための監視手段と、
照明設備とを含む解体装置。
【請求項２】
前記塔状構造物は、鉄筋コンクリート構造物であり、前記解体手段は、コンクリートを破砕するコンクリート破砕手段と、鋼材を切断する切断手段とを含む、請求項１に記載の解体装置。
【請求項３】
前記解体装置は、前記解体手段および前記走行支持手段を遠隔操作するための遠隔操作装置を含む、請求項１または２に記載の解体装置。
【請求項４】
前記解体装置は、さらに、前記塔状構造物の下部開口に設置される換気手段を含む、請求項１〜３のいずれか１項に記載の解体装置。
【請求項５】
前記換気手段は、集塵機と集塵フィルタとを含む、請求項４に記載の解体装置。
【請求項６】
前記架台には、前記塔状構造物の周囲を移動可能とする移動手段が設けられ、前記移動手段上に前記解体手段が設置される、請求項１〜５のいずれか１項に記載の解体装置。
【請求項７】
前記架台は、前記挿通部を備える上部架台と下部架台とから構成されていて、前記上部架台に前記解体手段と前記塔状構造物の側壁に隣接させて該上部架台を支持するための上部支持手段とが設けられ、前記下部架台に前記複数の走行支持手段が設けられ、所定間隔で前記上部架台と前記下部架台とが連結される、請求項１〜６のいずれか１項に記載の解体装置。
【発明の詳細な説明】
【０００１】
【発明の属する技術分野】
本発明は、塔状構造物の解体装置に関し、より詳細には、狭い敷地において効率良くかつ安全に解体を行うことができ、さらには解体の際に低振動および低騒音で、かつ粉塵発生を低減することを可能とする塔状構造物の解体装置に関する。
【０００２】
【従来の技術】
従来、塔状構造物の解体には、ブロック解体工法、転倒解体工法などが用いられている。ブロック解体工法は、塔状構造物の周囲に足場を構築し、ワイヤソー工法やカッタ工法などにより切断し、大割ブロックにしてクレーンにより吊り降ろす工法である。クレーンにより降ろされた大割ブロックは、さらに小割ブロックとするために小割作業場へと搬送される。また、転倒解体工法は、塔状構造物に巻かれたワイヤによる牽引や塔状構造物の下部に爆薬を配置して転倒させる工法である。この場合、飛散防止対策としてサンドマットなどが塔状構造物の周囲に配置される。また、転倒され、破壊された大割ブロックは、上述したように小割作業場へ搬送し、小割ブロックとされる。
【０００３】
ブロック解体工法は、大割ブロックに切断し、クレーンを使用して地上面へ吊り降ろされるため、振動がほとんどなく、また低騒音である。さらに、粉塵発生量も少ないといったメリットがある。しかしながら、煙突といった塔状構造物は、上部コンクリートの劣化が著しく、上記ワイヤソー工法やカッタ工法などにより大割ブロックに切断ができないため、手作業による場合が多い。また、この塔状構造物の下部は、上記ワイヤソー工法やカッタ工法により大割ブロックに切断される。したがって、解体時間を要し、また小割ブロックとするための労力を要するといった問題があった。
【０００４】
また、転倒解体工法は、解体する時間は短時間であるが、粉塵を多量に発生させ、大小様々なブロック片が飛散する。この場合も、上述した小割ブロックとするための作業を要し、労力を要するといった問題があった。また、転倒解体工法は、塔状構造物の外周側に多くの敷地が必要となるため、住宅が密集した場所において、この方法を用いて解体を行うことはできなかった。
【０００５】
そこで、塔状構造物の外周側に多くの敷地を必要とすることなく、塔状構造物を効率よく、かつ安全に解体できる解体装置および解体工法が必要とされている。
【０００６】
特開２０００−１４５１２６号公報によれば、塔体に固定ブラケットと可動ブラケットとを有する解体ユニットと、その解体ユニットを塔体に設置し、塔体をブロック状に切り出し、天井クレーンにより塔体の内部を通して地上に降ろし、塔体解体フレームを可動ブラケットと固定ブラケットとにより交互に支持しつつ、可動ブラケットの操作によって塔体解体フレームを塔体に沿ってリフトダウンさせることで塔体を解体する方法とが開示されている。
【０００７】
しかしながら、特開２０００−１４５１２６号公報に開示の塔体解体ユニットおよび解体工法では、塔頂に固定ブラケットで固定し、固定した部分は残したままでそれ以外の部分をブロック状にして切り出し、切り出した箇所に可動ブラケットを配置する方法によりリフトダウンしながら解体を行うため、適切な大きさ、順序で切り出しを行わなければならず、手間と時間を要するといった問題があった。また、解体ユニットに作業員が乗り込み、作業員により切り出し等を行う必要があるため、作業中の塔体の崩壊等において安全性に問題があった。
【０００８】
【発明が解決しようとする課題】
本発明は、前述の問題を解決するためになされたものであり、住宅が密集する場所においても使用可能であり、解体作業の効率を向上させて工期の短縮を図ることができ、また、塔状構造物の解体により発生する騒音および振動を低減させ、粉塵発生を抑制するとともに解体時に小割ブロックとして解体することができ、さらには監視手段を使用して外部からの遠隔操作を可能とする塔状構造物の解体装置を提供することを目的とする。
【０００９】
【課題を解決するための手段】
本発明の上記目的は、本発明の塔状構造物の解体装置により達成される。
【００１０】
すなわち、本発明によれば、塔状構造物が挿通可能な挿通部を備える架台と、
前記架台に配設され、前記塔状構造物の側壁に隣接させて前記架台を支持するとともに前記側壁を移動可能とする複数の走行支持手段と、
前記架台上に設置され、前記架台上に露出した前記塔状構造物を解体するための解体手段と、
前記架台の上部を包囲するとともに前記架台の外縁部に収容可能な包囲部材と、
前記露出した塔状構造物に向けて水を噴霧する噴霧手段と、
解体物の飛散を防止するための飛散防止枠と、
解体状況を監視するための監視手段と、
照明設備とを含む解体装置が提供される。
【００１１】
本発明によれば、前記塔状構造物は、鉄筋コンクリート構造物であり、前記解体手段は、コンクリートを破砕するコンクリート破砕手段と、鋼材を切断する切断手段とを含む解体装置が提供される。
【００１２】
本発明によれば、前記解体装置は、前記解体手段および前記走行支持手段を遠隔操作するための遠隔操作装置を含む解体装置が提供される。
【００１３】
本発明によれば、前記解体装置は、さらに、前記塔状構造物の下部開口に設置される換気手段を含む解体装置が提供される。
【００１４】
本発明によれば、前記換気手段は、集塵機と集塵フィルタとを含む解体装置が提供される。
【００１５】
本発明によれば、前記架台には、前記塔状構造物の周囲を移動可能とする移動手段が設けられ、前記移動手段上に前記解体手段が設置される解体装置が提供される。
【００１６】
本発明によれば、前記架台は、前記挿通部を備える上部架台と下部架台とから構成されていて、前記上部架台に前記解体手段と前記塔状構造物の側壁に隣接させて該上部架台を支持するための上部支持手段とが設けられ、前記下部架台に前記複数の走行支持手段が設けられ、所定間隔で前記上部架台と前記下部架台とが連結される解体装置が提供される。
【００１７】
【発明の実施の形態】
以下、本発明を図面を参照して詳細に説明する。図１は、本発明の解体装置の第１の実施の形態を示した図である。図１に示す塔状構造物１は、内部が中空とされ、鉄筋コンクリートにより構築された煙突とされている。また、図１に示す塔状構造物１は、塔頂部から底部に向けて径が拡大された形状となっていて、底部に下部開口２が設けられている。図１に示す解体装置３は、地表面４において組み立てられ、塔状構造物１のコンクリート強度や構造物の測量などが行われ、必要な箇所について補強された後、解体装置３に設けられた走行支持手段５により塔状構造物１の塔頂部に向けて移動させて設置することができる。図１に示す解体装置３は、塔状構造物１が挿通可能な挿通部６を備える架台７と、架台７の下側に配設され、架台７の内縁部に設けられた走行支持手段５と、架台７上に露出した塔状構造物１を解体するための解体手段８とを備えている。本発明においては、走行支持手段５を塔状構造物１の周囲の側壁に隣接させることにより解体装置３を支持する場合、塔状構造物１に所定の力がかかることになる。したがって、所定の力がかかることにより圧壊しないように、コンクリートを打設するなどして補強した後に解体装置３を設置することができる。また、本発明においては、塔状構造物１の強度が充分な場合、上記補強を行わなくても良い。
【００１８】
図１に示す実施の形態では、解体手段８は、塔状構造物１のコンクリート部分を破砕するコンクリート破砕手段８ａと、コンクリート部分を破砕することにより露出した鋼材９を所定長さにおいて切断する切断手段８ｂとから構成されている。図１に示す塔状構造物１の塔頂部に設置された解体装置３は、コンクリート破砕手段８ａおよび切断手段８ｂを使用して解体し、解体した破片などの解体物は、塔状構造物１の中空部１０内に落下させて除去する。図１に示す実施の形態においては、塔状構造物１の底部に落下された小割ブロックといったコンクリートブロック片１１および切断された鋼材９といった解体物は、適宜下部開口２から除去される。これらのコンクリートブロック片１１および鋼材９は、すでに小割ブロックとされているため、直接処分場へと搬送される。また、図１に示す実施の形態においては、架台７上に露出した部分を解体した後、走行支持手段５により架台７を降下させることにより再び架台７上に塔状構造物１を露出させ、コンクリート破砕手段８ａおよび切断手段８ｂを用いて解体が行われる。これを繰り返すことにより、塔状構造物１を解体することができる。本発明においては、監視カメラといった監視手段を架台７上に設置して解体状況を監視しつつ、遠隔操作して解体を行うこともできる。
【００１９】
図１に示す架台７は、塔状構造物１が挿通することができる大きさの挿通部６を備えていて、解体手段８を設置することができ、その重量に耐えうる厚さの材料を用いた構造とすることができる。また、架台７は、塔状構造物１の太さ、上述した解体手段８などが設置できるスペースに応じて大きさを決定することができる。さらに、架台７の形状は、いかなる形状であっても良い。また、架台７は、挿通部６を備える平板とされていて、塔状構造物１との間に隙間を生じないように塔状構造物１の太さに応じて調節可能な包囲部材を設けることができる。この場合、挿通部６は、塔状構造物１の最も太くなる部分を通すことが可能な大きさとすることができる。また、挿通部６は、架台７のいかなる位置に設けられていても良いが、架台７に配設される走行支持手段５にかかる荷重を均等にするために中央に設けられるのが好ましい。さらに、架台７は、組立式とされていて、輸送が容易である。
【００２０】
図１に示す走行支持手段５は、塔状構造物１の側壁に隣接させて支持するとともに、走行可能とすることができるものであればいかなるものでも用いることができる。本発明においては、塔状構造物１の側壁に隣接する部分がゴム製のキャタピラーを用いることができる。キャタピラーとしては、上部ローラおよび下部ローラにより固定され、起動輪および誘導輪により走行するものを用いることができる。キャタピラーを塔状構造物１の側壁に隣接させる手段としては、油圧式のシリンダと、後述する油圧ユニットをとを用い、油圧を制御することによりシリンダを側壁方向またはその反対方向へ移動させることができる。また、本発明においては、塔状構造物１の側壁に圧接させて解体手段８を設置した架台７を支持するようにされていても良い。さらに、本発明においては、走行支持手段５の塔状構造物１の側壁に隣接する部分は、ゴム製に限らずいかなる材質のものでも良い。また、本発明においては、圧接させて支持する際に下方にすべり落ちないように摩擦抵抗の大きい材料を用いることもできる。本発明の解体装置３は、いかなる数の走行支持手段５により支持されていても良い。また、走行支持手段５は、遠隔操作により塔状構造物１の側壁を移動可能とすることもできる。さらに、走行支持手段５は、左右に走行させることにより解体手段８を塔状構造物１の周囲に移動させて解体を行うことができる。本発明においては、走行支持手段５を使用することにより、解体装置３の設置において、クレーンを使用する必要がなく、昇降が自由に行えるため、いつでもメンテナンスを行うことが可能となる。このため、解体装置３の周囲に設けられていた足場を設置する必要がなくなる。
【００２１】
図１に示す解体手段８に用いられるコンクリート破砕手段８ａは、鉄筋コンクリート構造物である塔状構造物１のコンクリート部分を破砕するためにコンクリートカッタなどのコンクリート破砕機を用いることができる。また、塔状構造物１のコンクリート部分を破砕した後、露出した鋼材９を切断する切断手段８ｂとしては、鋼材切断機を用いることができる。本発明においては、コンクリート部分を所定の大きさの小割ブロックに破砕することができ、鋼材９を所定長さに切断することができるものであれば、いかなるものでも用いることができる。これら破砕したコンクリートブロック片１１および切断した鋼材９は、塔状構造物１の中空部１０を通して落下され、塔状構造物１の底部に設けられた下部開口２から取り除かれる。図１に示す架台７には、コンクリート破砕手段８ａおよび切断手段８ｂにより破砕または切断したコンクリートブロック片１１および切断した鋼材９が架台７上に堆積することがなく、塔状構造物１の中空部１０を通して落下されるように飛散防止枠１２が設けられている。本発明においては、塔状構造物１の材質により必要な種類の解体手段８を設けることができる。本発明において解体手段８は、上述した走行支持手段５と同様に、遠隔操作により操作することができるようにされていても良い。
【００２２】
図１に示す飛散防止枠１２は、架台７上に塔状構造物１の周囲に近接するように設けられている。図１に示す飛散防止枠１２は、塔状構造物１を解体する際にコンクリートブロック片１１や切断した鋼材９といった解体物が架台７上または架台７の外周方向に飛散しないように防止するとともに、中空の塔状構造物１の中空部１０に落下させることができるようになっている。この場合には、架台７と塔状構造物１との間に隙間を生じないように閉鎖部材を設けることができる。図１に示す実施の形態では、塔状構造物１の塔頂を解体する際、破砕したコンクリートブロック片１１や切断した鋼材９は、塔状構造物１の中空部１０に落下されるとともに、塔状構造物１と飛散防止枠１２との間にも堆積する。図１に示す解体手段８により塔状構造物１と飛散防止枠１２との間に堆積したコンクリートブロック片１１および切断した鋼材９が塔状構造物１を超えると、塔状構造物１の中空部１０へと落下する。さらに、解体を行うことにより塔状構造物１と飛散防止枠１２との間に堆積したコンクリートブロック片１１および切断した鋼材９は、飛散防止枠１２に設けられた傾斜部に沿って塔状構造物１の中空部１０内に落下させることができる。本発明においては、解体する際に適切に塔状構造物１の中空部１０内へ落下させることができるのであれば、飛散防止枠１２を設けなくても良い。
【００２３】
また、図１に示す塔状構造物１の底部に堆積したコンクリートブロック片１１および切断した鋼材９は、塔状構造物１の下部開口２から適宜取り除き、処分場に搬送することができる。さらに、図１に示す架台７には、架台７の外縁部に安全柵１３を設けることができ、走行支持手段５および解体手段８を操作する作業員が落下しないようになっている。また、遠隔操作により無人化施工する際においても、メンテナンス等により架台７上で作業する場合があり、この場合に安全柵１３が必要とされる。本発明においては、塔状構造物１から離れた場所に、遠隔操作装置を設けることができる。遠隔操作装置としては、監視手段からの映像を表示するモニタといった表示手段、各手段を起動または停止するためのスイッチ、操作するためのハンドルやレバー、コンピュータシステムなどを挙げることができる。コンピュータシステムは、解体手段８であれば、位置、切断または破砕するのに必要とされる力、角度など、移動手段が設けられている場合には移動速度、走行支持手段５であれば走行速度、停止位置などを入力して制御することができる。その他、遠隔操作を行うためにいかなるものでも用いることができる。また、本発明においては、上述したコンピュータシステムに後述する解体プロセスをシーケンスとして組み込むことができる。
【００２４】
図２は、図１に示す解体装置３に用いる架台７の第１の実施の形態を示した平面図である。図２には、中央に複数の鋼材９が露出した塔状構造物１と、塔状構造物１が挿通する挿通部６を備える板部材とされた架台７とが示されている。また、図２に示す架台７には、内縁部１４に飛散防止枠１２と、解体手段８としてコンクリート破砕手段８ａと切断手段８ｂと、外縁部１５に安全柵１３とが設置されている。さらに、内縁部１４と塔状構造物１との間には、塔状構造物１に隣接するように閉鎖部材１６が設けられていて、塔状構造物１と上部架台５との隙間を閉鎖し、解体の際に生じる図１に示すコンクリートブロック片１１や切断した鋼材９が隙間を通して落下しないようになっている。また、架台７の内縁部１４で閉鎖部材１６の下側には、図示しない走行支持手段が配設されていて、架台７を塔状構造物１の側壁に隣接させて支持するとともに、塔状構造物１の側壁を移動させることができるようになっている。図２において挿通部６は、閉鎖部材１６により閉鎖されている。
【００２５】
図３は、図１に示す解体装置３に用いる架台７の第２の実施の形態を示した平面図である。図３に示す架台７は、枠部材と、中央に塔状構造物１が挿通可能なように挿通部６を形成する移動手段１７が配設されている。また、移動手段１７は、塔状構造物１を挿通させた場合に塔状構造物１の周囲に配置され、塔状構造物１の周囲を解体手段８が移動しながら解体を行うことができるようになっている。図３に示す解体手段８は、コンクリートを小割ブロックに解体するためのコンクリート破砕手段８ａと鋼材９を所定長さに切断する切断手段８ｂとから構成されている。また、移動手段１７の内側で閉鎖部材１６の下側には、解体手段８および移動手段１７を備える架台７を走行可能に支持する走行支持手段５が配設されている。図３においても挿通部６は、閉鎖部材１６により閉鎖されている。
【００２６】
図４は、本発明の解体装置３の第２の実施の形態を示した図である。図４に示す解体装置３は、図１に示す解体装置３に架台７上に露出した塔状構造物１と、架台７上に設置された解体手段８とを包囲するように設けられる包囲部材１８が設置されている。図４に示す包囲部材１８は、架台７の外側部に設けられた収納部１９に収容可能とされていて、塔状構造物１の解体を行う場合には、架台７上に露出した塔状構造物１および解体手段８の上部を包囲するように収納部１９から取り出して設置されるようになっている。また、架台７上には、監視手段２０と、噴霧手段２１と、照明設備２２とが設置されている。さらに、図４に示す解体装置３は、塔状構造物１の底部に設けられる下部開口２に配設される換気手段２３が含まれている。図４に示す換気手段２３は、塔状構造物１の中空部１０内に浮遊する粉塵を除去するために用いられる。
【００２７】
図４に示す走行支持手段５、架台７、解体手段８は、上述したものと同様のものを用いることができる。また、包囲部材１８は、解体手段８を移動または操作するスペースを有するように包囲できるのであればいかなるものでも用いることができる。本発明においては、包囲部材１８として金属製の小幅板と棒とをすだれ状に組み合わせたシャッタを用いることができる。また、シャッタを巻き込んで収容する収納部１９として鋼板製のシャッタ収納ボックスを設けることができる。本発明においては、架台７に側板と屋根とを設け、屋根が開閉式とされた構造であっても良い。
【００２８】
図４に示す監視手段２０としては、監視カメラを用いることができる。図４に示す監視手段２０は、解体手段８による塔状構造物１の解体状況を監視するとともに、遠隔操作における各手段の操作を確認する場合においても用いることができる。図４に示す監視手段２０は、撮影位置、画像サイズを変更可能とされていて、解体手段８および移動手段１７などを遠隔操作する際に使用される。図４に示す噴霧手段２１は、塔状構造物１に向けて水を噴霧できるようになっている。本発明において噴霧手段２１は、塔状構造物１の塔頂に向いたノズルとされていて、塔状構造物１を解体する際に発生する粉塵を低減するために用いられる。本発明においては、水を噴霧できるものであればいかなる穴の数、穴を大きさのノズルでも用いることができる。また、本発明においては、噴霧手段２１を設けなくても良いし、複数設けても良い。
【００２９】
図４に示す換気手段２３としては、ファン、ブロワのほか、集塵機やフィルタなどを用いることができる。図４においては、落下したコンクリートブロック片１１の破砕などにより粉塵が発生し、包囲部材１８により包囲された解体装置３の内部および塔状構造物１の内部の粉塵を除去して換気するために用いられている。本発明においては、換気手段２３を適宜移動させて塔状構造物１内に堆積したコンクリートブロック片１１および切断した鋼材９を搬送することができる。また、ファン、ブロワ、集塵機は、適切な吸込量のものを用いることができる。フィルタは、外部に粉塵が排出されないように除去できるメッシュのものを用いることができる。
【００３０】
図５は、本発明の解体装置３の第３の実施の形態を示した図である。図５に示す解体装置３は、図４に示す解体装置３と同様に、塔状構造物１が挿通可能な挿通部６を備える架台と、架台上に解体手段８と、架台上に露出した塔状構造物１および解体手段８を包囲する包囲部材１８と、走行支持手段５と、移動手段１７とを備えている。図５において挿通部６は、中央に塔状構造物１が挿通可能なように配設される移動手段１７により形成されている。また、移動手段１７は、塔状構造物１を挿通させた場合に塔状構造物１の周囲に配置され、塔状構造物１の周囲を解体手段８が移動しながら解体を行うことができるようになっている。図５に示す解体装置３においては、架台として上部架台７ａと下部架台７ｂとを備えていて、上部架台７ａに上述した解体手段８や包囲部材１８が設けられている。
【００３１】
図５に示す実施の形態では、上部架台７ａに上部支持手段２４が設けられ、上部架台７ａに所定間隔で連結される下部架台７ｂに走行支持手段５が設けられている。図５に示す実施の形態においては、解体装置３は、地表面４において組み立てられ、下部架台７ｂに設けられた走行支持手段５により塔状構造物１の塔頂部に向けて移動させて設置することができる。解体装置３の設置は、走行支持手段５のほか、上部架台７ａに配設された上部支持手段２４を塔状構造物１の側壁に隣接させて支持することにより行われる。上部架台７ａ上に露出した塔状構造物１は、解体手段８を用いて所定位置まで解体され、上部支持手段２３を側壁から離し、走行支持手段５により下方に移動することにより再び上部架台７ａ上に塔状構造物１が露出し、解体手段８によって解体を行うことができる。これを繰り返すことにより、塔状構造物１を解体することができる。
【００３２】
図５に示す上部支持手段２４は、塔状構造物１の側壁に隣接させて支持できるものであればいかなるものでも用いることができる。本発明においては、複数の上部支持手段２４を用いて側壁に支持させることができる。上部支持手段２４は、上述した走行支持手段５と同様に、油圧式シリンダおよび油圧ユニットを用いて塔状構造物１の側壁に着脱させることができる。また、本発明においては、上部支持手段２４を四方から塔状構造物１の側壁に圧接することにより支持されるようにされていても良い。上部支持手段２４の塔状構造物１の側面に隣接する部分には、ゴムなどの圧接させても塔状構造物１が破損しにくく、下方にすべり落ちないように摩擦抵抗の大きい材料を用いることができる。また、上部支持手段２４は、解体手段８などを設置した上部架台７ａに加え、上部架台７ａに連結される下部架台７ｂおよび走行支持手段５とを加えた重量を支持することができるようになっている。本発明においては、上部支持手段２４としてエアバッグなどを用いて支持することもできる。また、上部支持手段２４は、遠隔操作により塔状構造物１に着脱することができるようにされていても良い。図５に示す連結部材７ｃは、上部架台７ａと下部架台７ｂとを所定間隔で連結するために用いられる。本発明においては、走行支持手段５により上部架台７ａおよび下部架台７ｂを支持する場合、連結部材７ｃは、上部架台７ａを支持することができる材質のものを用いることができる。
【００３３】
図６は、図５に示す解体装置３の切断線Ａ−Ａに沿って切断したところを示した断面図および切断線Ｂ−Ｂに沿って切断したところを示した断面図である。図６（ａ）は、図５に示す解体装置３の切断線Ａ−Ａに沿って切断したところを示した断面図である。図６（ａ）に示す実施の形態では、上部架台７ａは、枠部材とされていて、上部架台７ａの内側に移動手段１７が配設されている。図６（ａ）に示す移動手段１７は、上部挿通部６ａを形成し、上部挿通部６ａに挿通させた塔状構造物１の周囲を解体手段８が移動できるようになっている。図６に示す移動手段１７としては、駆動装置を有する回転台を用いることができる。また、移動手段１７上には、解体手段８としてコンクリート破砕手段８ａと切断手段８ｂとが設置されている。さらに、移動手段１７の下側の上部架台７ａには、４つの上部支持手段２４が設けられ、塔状構造物１の側壁に隣接させて上部架台７ａを支持している。また、上部架台７ａには、上述した包囲部材１８を収容する収納部１９が設けられている。
【００３４】
図６（ｂ）は、図５に示す切断線Ｂ−Ｂに沿って切断したところを示した断面図である。図６（ｂ）に示す下部架台７ｂは、張出部２５ａを備える枠部材２５とされていて、張出部２５ａ上に油圧ユニット２６が設置され、枠部材２５に図示しない着脱用シリンダが設けられている。また、枠部材２５内には、走行支持手段５が配設されていて、塔状構造物１が挿通可能な下部挿通部６ｂを形成している。図６（ｂ）に示す実施の形態では、油圧ユニット２６による油圧を制御することによって着脱用シリンダに設けられるアームが突出または収容されるようになっていて、このアームに連結される走行支持手段５は、アームが突出することによって塔状構造物１の側壁に向けて隣接されるようになっている。また、アームを着脱用シリンダに収容することにより走行支持手段５が塔状構造物１から離れるようになっている。
【００３５】
本発明においては、上述した実施の形態に限らず、中空とされていない塔状構造物１を解体する場合にも使用することができる。この場合には、架台７から地表面４に通じる通路を形成したシュートなどが設置され、上述した解体手段８により解体したコンクリートブロック片１１などをシュートなどを通して落下させることができる。架台７は、架台７上にコンクリートブロック片１１や切断した鋼材９が堆積しないようにシュートに向けて傾斜などが設けられていても良い。例えば、シュートは、飛散防止枠１２と塔状構造物１の側壁との間で、飛散防止枠１２に連続する架台７を挿通するように配設することができる。また、架台７は、外縁部に向けて一部傾斜を備える溝が設けられていて、この溝に連続するように架台７の外周部にシュートを設けることもできる。この場合、飛散防止枠１２と塔状構造物１との間に堆積したコンクリートブロック片１１などは、溝およびシュートを通して地表面４に落下させることができる。
【００３６】
図７および図８は、図５に示す解体装置３の設置から解体装置３を用いて解体を行うところを示した図である。図５、図７および図８を使用して解体装置３を用いた塔状構造物１の解体方法について詳細に説明する。図７は、図５に示す解体装置３を組み立て、塔状構造物１の塔頂部に向けて移動させているところを示した図である。図７に示す解体手段３は、図５および上述したような構造とされていて、塔状構造物１に設置する前に地表面４において組み立てられる。まず、塔状構造物１のコンクリート強度や構造物の測量などが行われ、必要な箇所についてコンクリートを打設するなどして補強される。組み立てられた解体装置３は、解体装置３の下部架台７ｂに設けられた走行支持手段５によって塔状構造物１の塔頂部へ向けて移動する。走行支持手段５は、塔状構造物１の側壁に隣接させて支持しながら塔頂部に向けて解体装置３を上昇させることができる。塔頂部まで移動した後、上部架台７ａ上に所定長さの塔状構造物１が露出するようにして上部架台７ａに配設された上部支持手段２４を塔状構造物１の側壁に隣接させ、図５に示すように上部支持手段２４および走行支持手段５により解体装置３を支持する。
【００３７】
次に、図５に示すように上部架台５に設置された収納部１９から包囲部材１８を取り出し、上部架台５上に露出した塔状構造物１、解体手段８などを包囲部材１８により包囲する。包囲した後、照明設備２２および監視手段２０に電源を入れる。また、塔状構造物１の底部の下部開口２に換気手段２３を設置し、解体の際に発生する粉塵を除去して換気できるように準備する。コンクリート破砕手段８ａを起動し、塔状構造物１の解体を行う。解体は、所定量破砕したところで、コンクリート破砕手段８ａおよび切断手段８ｂの下部に設置されている移動手段１７によりコンクリート破砕手段８ａを移動させて行う。コンクリート破砕手段８ａにより解体した部分は、鋼材９が露出しており、移動手段１７により露出した鋼材９が切断可能な位置となった場合に、切断手段８ｂを起動して鋼材９の切断を行う。このように、コンクリート破砕手段８ａおよび切断手段８ｂとを使用して塔状構造物１が解体される。塔状構造物１の解体が開始されると、塔状構造物１の解体または解体物の落下により中空部１０内に粉塵が発生する。このため、中空部１０内は、下部開口２に設置した換気手段２３を起動して換気される。
【００３８】
図８は、図５に示す解体装置３を降下させるところを示した図である。図７に示す上部架台７ａ上に露出した部分の塔状構造物１がコンクリート破砕手段８ａおよび切断手段８ｂにより解体した後、塔状構造物１の側壁に隣接させて支持していた上部支持手段２４を側壁から離す。この場合、解体装置３は、走行支持手段５のみによって塔状構造物１に支持されている。次に、走行支持手段５を下方に向け、再び上部架台７ａ上に所定長さの塔状構造物１が露出するまで走行させる。上部架台７ａ上に所定長さの塔状構造物１が露出する位置において走行支持手段５の走行が停止され、上部架台７ａに配設された上部支持手段２４を塔状構造物１の側壁に隣接させて支持することにより解体装置３を固定する。
【００３９】
本発明においては、上部支持手段２４および走行支持手段５により支持した後、再び図７および上述したようにコンクリート破砕手段８ａおよび切断手段８ｂを使用して解体を行うことができる。また、コンクリート破砕手段８ａを起動して解体を開始した際、粉塵が発生するため、噴霧手段２１を起動して水を噴霧して粉塵発生を低減させることができる。さらに、破砕したコンクリートブロック片１１などが塔状構造物１の中空部１０を通して落下した際、塔内に粉塵が発生するため、換気手段２３を起動して塔内を換気することができる。本発明においては、これらの操作を監視手段２０を用いて遠隔操作することができる。
【００４０】
図９は、図５に示す解体装置３を用いて塔状構造物の解体を行うプロセスを示した図である。ステップ９０１として準備が行われる。準備は、図５に示す塔状構造物１のコンクリート強度や構造物の測量などが行われる。これにより、図５に示す解体装置３の重量、材質、走行支持手段５および上部支持手段２４により側壁にかける力、上部挿通部６および下部挿通部の大きさなどを決定することができる。次に、ステップ９０２として図５に示す下部架台７ｂの組み立てが行われる。ステップ９０１において決定した各部材および手段を所定の位置に設置して組み立てる。この場合、下部挿通部に塔状構造物１がすでに挿通された状態となるように組み立てられる。ステップ９０２においては、下部架台７ｂに着脱用シリンダ、図５に示す油圧ユニット２６が設置され、走行支持手段５が配設される。
【００４１】
次に、ステップ９０３では、ステップ９０２において組み立てた図５に示す下部架台７ｂの上部に上部架台７ａが組み立てられる。ステップ９０３においては、図５に示す上部架台７ａおよび上部支持手段２４が組み立てられる。ステップ９０４において図５に示す上部架台７ａ上に移動手段１７と、コンクリート破砕手段８ａと、切断手段８ｂと、飛散防止枠１２とが取付けられる。また、ステップ９０５において図５に示す監視手段２０、噴霧手段２１、照明設備２２、制御装置および風速計２７が取付けられる。制御装置は、監視手段２０、噴霧手段２１、照明設備２２のほか、走行支持手段５、上部支持手段２４、解体手段８、移動手段１７、油圧ユニット２６および着脱用シリンダを操作するために用いられる。風速計２７は、塔状構造物１の塔頂部に解体装置３を設置し、解体作業を行う際の解体装置３の側の風速を測定するために用いられる。例えば、強風の場合には、図５に示す走行支持手段５により解体装置３を降下させて解体作業を中断することができる。
【００４２】
ステップ９０６では、図５に示す上部架台７ａに包囲部材１８を収容した収納部１９が配設される。ステップ９０７においては、上述した制御装置、監視手段２０、噴霧手段２１、照明設備２２、走行支持手段５、上部支持手段２４、解体手段８、移動手段１７、油圧ユニット２６に必要とされる電源が電線からケーブルを通じて供給されるように取付けられる。
【００４３】
以上のようにしてすべての部材および手段を設置し、必要な配線をした後、ステップ９０８において試運転が行われる。ステップ９０８において試運転は、包囲部材１８が取り出されるか否か、解体手段８、移動手段１７および油圧ユニット２６が起動するか否か、走行支持手段５により塔状構造物１の側壁を走行しながら解体装置３を支持できるか否か、上部支持手段２４により支持できるか否かなどを行うことができる。すべての手段が適切に起動して作動し、遠隔操作によっても操作可能とされることを確認した後、解体装置３を実際に使用して塔状構造物１の解体を行うことができる。
【００４４】
ステップ９０９では、走行支持手段５を操作し、塔状構造物１の側壁を上昇させて本発明の解体装置３を塔頂部に設置する。塔頂部においては、上述したように所定長さの塔状構造物１が上部架台７ａ上に露出するように配置され、上部支持手段２４により固定される。次に、ステップ９１０において収納部１９から包囲部材１８を取り出して上部架台７ａの上部を包囲する。ステップ９１１において上述した方法により解体、解体装置３の降下を行いながら塔状構造物１の解体を行う。すべて解体が終了したところで、ステップ９１２の完了となる。この後、解体装置３は、分解され、また次に塔状構造物の解体があれば、再度上述したステップが繰り返される。
【００４５】
これまで本発明を図面に示した実施の形態に基づいて説明してきたが、本発明は上述した実施の形態に限定されるものではなく、昇降手段、噴霧手段、移動手段、解体手段、換気手段については、これまで知られているいかなるものでも用いることができる。また、各部材の大きさ、形状は解体を行う塔状構造物により選定することができる。
【００４６】
【発明の効果】
上述したように、本発明の解体装置は、住宅が密集する場所においても使用可能であり、解体作業中に塔状構造物が崩壊しても安全なように監視手段を使用して外部からの遠隔操作を可能とする。また、本発明の解体装置は、塔状構造物の側壁を昇降、停止して保持が可能であるため、クレーンを使用して設置する必要がなく、降下させてメンテナンスもいつでも行うことができ、メンテナンスの際に周囲に足場を設置する必要もなくなる。
【００４７】
また、本発明の解体装置を使用することにより、塔状構造物の解体作業の効率を向上させて工期の短縮を図ることができる。
【００４８】
さらに、本発明の解体装置を用いることにより、塔状構造物の解体によって発生する騒音および振動を低減させることができ、粉塵発生を低減するとともに解体の際に小割ブロックとして解体することができる。
【図面の簡単な説明】
【図１】  本発明の解体装置の第１の実施の形態を示した図。
【図２】  図１に示す解体装置に用いる架台の第１の実施の形態を示した平面図。
【図３】  図１に示す解体装置に用いる架台の第２の実施の形態を示した平面図。
【図４】  図３に示す解体装置を塔状構造物の塔頂部に設置するところを示した図。
【図５】  本発明の解体装置３の第２の実施の形態を示した図。
【図６】  図５に示す解体装置の切断線Ａ−Ａに沿って切断したところを示した断面図および切断線Ｂ−Ｂに沿って切断したところを示した断面図。
【図７】  図５に示す解体装置を塔状構造物の塔頂部に向けて移動させているところを示した図。
【図８】  図５に示す解体装置を降下させるところを示した図。
【図９】  図５に示す解体装置を用いて塔状構造物の解体を行うプロセスを示した図。
【符号の説明】
１…塔状構造物
２…下部開口
３…解体装置
４…地表面
５…走行支持手段
６…挿通部
６ａ…上部挿通部
６ｂ…下部挿通部
７…架台
７ａ…上部架台
７ｂ…下部架台
７ｃ…連結部材
８…解体手段
８ａ…コンクリート破砕手段
８ｂ…切断手段
９…鋼材
１０…中空部
１１…コンクリートブロック片
１２…飛散防止枠
１３…安全柵
１４…内縁部
１５…外縁部
１６…閉鎖部材
１７…移動手段
１８…包囲部材
１９…収納部
２０…監視手段
２１…噴霧手段
２２…照明手段
２３…換気手段
２４…上部支持手段
２５…枠部材
２５ａ…張出部
２６…油圧ユニット
２７…風速計
【図１】
0003888890.tif 000002
【図２】
0003888890.tif 000003
【図３】
0003888890.tif 000004
【図４】
0003888890.tif 000005
【図５】
0003888890.tif 000006
【図６】
0003888890.tif 000007
【図７】
0003888890.tif 000008
【図８】
0003888890.tif 000009
【図９】
0003888890.tif 000010